(57)【要約】【課題】二重モード・ディスプレイポート・コネクタを提供する。【解決手段】二重モード・ディスプレイポート・コネクタにおいて、ホスト側補助インターフェース、ディスプレイ側補助インターフェース、及びケーブルを含み、該ホスト側補助インターフェースと該ディスプレイ側補助インターフェースそれぞれは、双方向変換部及び直流均衡用コーデックを含み、該双方向変換部は、一側からの差動補助信号を単一補助信号に変換し、他側からの単一補助信号を差動補助信号に変換し、該直流均衡用コーデックは、一側からの単一補助信号に対して、直流均衡用符号化を行い、他側からの符号化結果の単一補助信号を復号化する。【選択図】図２
2015015710.tif 000002
【特許請求の範囲】
【請求項１】
ＶＥＳＡ（Video Electronics Standards Association）のディスプレイポート通信規定により、ホスト装置とディスプレイ装置とを相互連結する二重モード・ディスプレイポート・コネクタにおいて、
前記ホスト装置の補助信号端子に接続されるホスト側補助インターフェースと、
前記ディスプレイ装置の補助信号端子に接続されるディスプレイ側補助インターフェースと、
前記ホスト側補助インターフェースと、前記ディスプレイ側補助インターフェースとを連結するケーブルと、を含み、
前記ホスト側補助インターフェースは、
一側からの差動補助信号を単一補助信号に変換し、他側からの単一補助信号を差動補助信号に変換する双方向変換部と、
一側からの単一補助信号に対して、直流均衡用符号化を行い、他側からの符号化結果の単一補助信号を復号化する直流均衡用コーデックと、
差動補助信号またはＩ２Ｃ（inter-integrated circuit）信号が印加される共通信号ラインを、差動補助信号用ラインまたはＩ２Ｃ信号用ラインに連結するバススイッチと、を含んだ二重モード・ディスプレイポート・コネクタ。
【請求項２】
前記ホスト側補助インターフェースにおいて、
前記ホスト装置の補助信号端子から、前記共通信号ラインが導き出され、前記バススイッチに連結されることを特徴とする請求項１に記載の二重モード・ディスプレイポート・コネクタ。
【請求項３】
前記ホスト側補助インターフェースは、
前記ホスト装置の補助信号端子のうち構成端子の電圧レベルにより、前記バススイッチのスイッチング動作を制御するホスト側制御部をさらに含むことを特徴とする請求項２に記載の二重モード・ディスプレイポート・コネクタ。
【請求項４】
前記ホスト側補助インターフェースは、第１電光変換部、光電変換部及び第２電光変換部をさらに含み、
前記ホスト装置の構成端子の電圧レベルにより、前記Ｉ２Ｃ信号が選択されている場合、
前記第１電光変換部からのクロック信号は、前記ディスプレイ側補助インターフェースに光信号として伝送され、
前記ディスプレイ側補助インターフェースからの直列データ信号は、前記光電変換部に光信号として伝送され、
前記第２電光変換部からの直列データ信号は、前記ディスプレイ側補助インターフェースに光信号として伝送されることを特徴とする請求項２に記載の二重モード・ディスプレイポート・コネクタ。
【請求項５】
前記ホスト装置の構成端子の電圧レベルにより、前記差動補助信号が選択されている場合、
前記第１電光変換部からの符号化結果の単一補助信号は、前記ディスプレイ側補助インターフェースに光信号として伝送され、
前記ディスプレイ側補助インターフェースからの符号化結果の単一補助信号は、前記光電変換部に光信号として伝送されることを特徴とする請求項４に記載の二重モード・ディスプレイポート・コネクタ。
【請求項６】
前記双方向変換部は、
前記バススイッチから、前記差動補助信号用ラインを介して入力される差動補助信号ＡＵＸ＋，ＡＵＸ−を単一補助信号Ａｕｘｈｍに変換し、変換結果の単一補助信号Ａｕｘｈｍを前記直流均衡用コーデックに出力し、
前記直流均衡用コーデックからの復号化信号Ａｕｘｍｈを、差動補助信号ＡＵＸ＋，ＡＵＸ−に変換し、変換された差動補助信号ＡＵＸ＋，ＡＵＸ−を、前記差動補助信号用ラインを介して前記バススイッチに出力することを特徴とする請求項５に記載の二重モード・ディスプレイポート・コネクタ。
【請求項７】
前記直流均衡用コーデックは、
前記双方向変換部からの単一補助信号Ａｕｘｈｍに対して直流均衡用符号化を行い、符号化結果の単一補助信号Ａｕｘｈｍｃを、前記第１電光変換部に出力する直流均衡用符号化部と、
前記光電変換部からの符号化結果の単一補助信号Ａｕｘｍｈｃを復号化し、復号化結果の単一補助信号Ａｕｘｍｈを前記双方向変換部に出力する復号化部と、を含むことを特徴とする請求項６に記載の二重モード・ディスプレイポート・コネクタ。
【請求項８】
前記ホスト側補助インターフェースを含むホスト側インターフェースが、
前記ホスト装置の主信号端子に接続されるホスト側主インターフェースと、
前記ホスト装置の接続信号ＨＰＤ端子に接続されるホスト側接続信号インターフェースと、をさらに含むことを特徴とする請求項１に記載の二重モード・ディスプレイポート・コネクタ。
【請求項９】
前記ディスプレイ側補助インターフェースを含むディスプレイ側インターフェースが、
前記ディスプレイ装置の主信号端子に接続されるディスプレイ側主インターフェースと、
前記ディスプレイ装置の接続信号ＨＰＤ端子に接続されるディスプレイ側接続信号インターフェースと、をさらに含むことを特徴とする請求項８に記載の二重モード・ディスプレイポート・コネクタ。
【請求項１０】
前記ホスト側主インターフェースから、前記ディスプレイ側主インターフェースに伝送される主データが光信号として伝送され、
前記ディスプレイ側接続信号インターフェースから、前記ホスト側接続信号インターフェースに伝送される接続信号ＨＰＤが、光信号として伝送されることを特徴とする請求項９に記載の二重モード・ディスプレイポート・コネクタ。
【請求項１１】
前記ホスト側主インターフェースが、
前記ホスト装置の主信号端子からの差動主信号Ｌ１＋ないしＬ４−を、それぞれの単一主信号Ｌ１ないしＬ４に変換する複数の減算部と、
前記複数の減算部からのそれぞれの単一主信号Ｌ１ないしＬ４を、それぞれの光信号Ｌ１ｌないしＬ４ｌに変換し、変換されたそれぞれの光信号Ｌ１ｌないしＬ４ｌを、それぞれの光ファイバラインを介して、前記ディスプレイ側主インターフェースに伝送する複数の電光変換部と、を含むことを特徴とする請求項１０に記載の二重モード・ディスプレイポート・コネクタ。
【請求項１２】
前記ディスプレイ側主インターフェースが、
前記ホスト側主インターフェースから、それぞれの光ファイバラインを介して入力されたそれぞれの光信号Ｌ１ｌないしＬ４ｌを、主データ信号Ｌ１ないしＬ４に変換する複数の光電変換部と、
前記複数の光電変換部それぞれからの主データ信号Ｌ１ｌないしＬ４ｌを、差動主データ信号Ｌ１＋ないしＬ４−に変換する複数の差動信号発生部と、を含むことを特徴とする請求項１０に記載の二重モード・ディスプレイポート・コネクタ。
【請求項１３】
ＶＥＳＡ（Video Electronics Standards Association）のディスプレイポート通信規定により、ホスト装置とディスプレイ装置とを相互連結する二重モード・ディスプレイポート・コネクタにおいて、
前記ホスト装置の補助信号端子に接続されるホスト側補助インターフェースと、
前記ディスプレイ装置の補助信号端子に接続されるディスプレイ側補助インターフェースと、
前記ホスト側補助インターフェースと、前記ディスプレイ側補助インターフェースとを連結するケーブルと、を含み、
前記ディスプレイ側補助インターフェースは、
一側からの差動補助信号を単一補助信号に変換し、他側からの単一補助信号を差動補助信号に変換する双方向変換部と、
一側からの単一補助信号に対して、直流均衡用符号化を行い、他側からの符号化結果の単一補助信号を復号化する直流均衡用コーデックと、
差動補助信号またはＩ２Ｃ（inter-integrated circuit）信号が印加される共通信号ラインを、差動補助信号用ラインまたはＩ２Ｃ信号用ラインに連結するバススイッチと、を含む二重モード・ディスプレイポート・コネクタ。
【請求項１４】
前記ディスプレイ側補助インターフェースにおいて、
前記ディスプレイ装置の補助信号端子から、前記共通信号ラインが導き出され、前記バススイッチに連結されることを特徴とする請求項１３に記載の二重モード・ディスプレイポート・コネクタ。
【請求項１５】
前記ディスプレイ側補助インターフェースは、
前記ホスト装置の補助信号端子のうち構成端子の電圧レベルにより、前記バススイッチのスイッチング動作を制御するディスプレイ側制御部をさらに含むことを特徴とする請求項１４に記載の二重モード・ディスプレイポート・コネクタ。
【請求項１６】
前記ディスプレイ側補助インターフェースは、第１光電変換部、電光変換部及び第２光電変換部をさらに含み、
前記ディスプレイ装置の構成端子の電圧レベルにより、前記Ｉ２Ｃ信号が選択されている場合、
前記ホスト側補助インターフェースからのクロック信号は、前記第１光電変換部に光信号として伝送され、
前記電光変換部からの直列データ信号は、前記ホスト側補助インターフェースに光信号として伝送され、
前記ホスト側補助インターフェースからの直列データ信号は、前記第２光電変換部に光信号として伝送されることを特徴とする請求項１４に記載の二重モード・ディスプレイポート・コネクタ。
【請求項１７】
前記ディスプレイ装置の構成端子の電圧レベルにより、前記差動補助信号が選択されている場合、
前記ホスト側補助インターフェースからの符号化結果の単一補助信号は、前記第１光電変換部に光信号として伝送され、
前記電光変換部からの符号化結果の単一補助信号は、前記ホスト側補助インターフェースに光信号として伝送されることを特徴とする請求項１６に記載の二重モード・ディスプレイポート・コネクタ。
【請求項１８】
前記ディスプレイ側補助インターフェースの双方向変換部は、
前記ディスプレイ側補助インターフェースのバススイッチから、前記差動補助信号用ラインを介して入力される差動補助信号ＡＵＸ＋，ＡＵＸ−を、単一補助信号Ａｕｘｍｈに変換し、変換結果の単一補助信号Ａｕｘｍｈを前記直流均衡用コーデックに出力し、
前記直流均衡用コーデックからの復号化信号Ａｕｘｈｍを、差動補助信号ＡＵＸ＋，ＡＵＸ−に変換し、変換結果の差動補助信号ＡＵＸ＋，ＡＵＸ−を、前記差動補助信号用ラインを介して前記バススイッチに出力することを特徴とする請求項１７に記載の二重モード・ディスプレイポート・コネクタ。
【請求項１９】
前記直流均衡用コーデックは、
前記双方向変換部からの単一補助信号Ａｕｘｍｈに対して直流均衡用符号化を行い、符号化結果の単一補助信号Ａｕｘｍｈｃを前記電光変換部に出力する直流均衡用符号化部と、
前記第１光電変換部からの符号化結果の単一補助信号Ａｕｘｈｍｃを復号化し、復号化結果の単一補助信号Ａｕｘｈｍを前記双方向変換部に出力する復号化部と、を含むことを特徴とする請求項１８に記載の二重モード・ディスプレイポート・コネクタ。
【発明の詳細な説明】
【技術分野】
【０００１】
本発明は、二重モード・ディスプレイポート・コネクタに係り、さらに詳細には、ＶＥＳＡ（Video Electronics Standards Association）のディスプレイポート（display-port）通信規定により、ホスト装置とディスプレイ装置とを相互連結する二重モード・ディスプレイポート・コネクタに関する。
【背景技術】
【０００２】
図１は、ＶＥＳＡのディスプレイポート（display-port）通信規定による一般的なディスプレイポート・システムを示している。図１で参照符号１１２は、ホスト側ディスプレイポート・インターフェースを、１２２は、ディスプレイ側ディスプレイポート・インターフェースをそれぞれ示す。図１を参照し、一般的なディスプレイポート・システムについて説明すれば、次の通りである。
【０００３】
ディスプレイ装置１２内の制御部１２１には、ディスプレイ装置１２の構成情報、制御情報であるＥＤＩＤ（extended display identification data）、及びディスプレイ装置１２の受信条件情報であるＤＰＣＤ（display-port configuration data）が記録されている。
【０００４】
ホスト装置１１内の制御部１１１は、ディスプレイポート通信規定により、ディスプレイ装置１２内の直列ＥＥＰＲＯＭ（electrically erasable programmable read-only memory）に保存されているＥＤＩＤ及びＤＰＣＤを受信した後、受信されたＥＤＩＤ及びＤＰＣＤにより、主データをディスプレイ装置１２内の制御部１２１に伝送する。ここで、主データとは、クロック信号が内蔵された映像信号を意味する。
【０００５】
かような送信過程で、ホスト装置１１内の制御部１１１は、ＶＥＳＡ（Video Electronics Standards Association）のディスプレイポート通信規定により、ディスプレイ装置１２内の制御部１２１とＤＰＣＤとの通信を行う。このＤＰＣＤの通信（「リンクトレーニング（link training）」のための通信と呼ばれる）を要約すれば、次の通りである。
【０００６】
第１に、ホスト装置１１内の制御部１１１は、受信されたＤＰＣＤにより、ホスト装置１１の予定された伝送条件情報を、ディスプレイ装置１２内の制御部１２１に伝送する。
【０００７】
第２に、ディスプレイ装置１２内の制御部１２１は、受信された伝送条件情報により、主データを受信する。
【０００８】
第３に、ディスプレイ装置１２内の制御部１２１は、主データを受信する過程でエラーが発生すれば、伝送条件が自体に適さないという信号を、接続信号ＨＰＤ（hot plug detection）を介して、ホスト装置１１内の制御部１１１に伝送する。例えば、ディスプレイ装置１２内の制御部１２１は、論理１及び論理０を反復するパルス列の接続信号ＨＰＤを、ホスト装置１１内の制御部１１１に伝送する。参考として、ディスプレイ装置１２が正常に動作する間、ディスプレイ装置１２内の制御部１２１は、論理１の接続信号ＨＰＤをホスト装置１１内の制御部１１１に伝送する。
【０００９】
第４に、伝送条件が自体に適さないという信号が、接続信号ＨＰＤを介して発せられれば、ホスト装置１１内の制御部１１１は、ホスト装置１１の予定された伝送条件情報を変更し、変更された伝送条件情報を、ディスプレイ装置１２内の制御部１２１に伝送する。
【００１０】
第５に、前記第２段階ないし第４段階が反復的に遂行される。
【００１１】
一方、ホスト装置１１内のディスプレイポート・インターフェース１１２は、主データ送信部１１２ｍ及び補助データ送受信部１１２ｓを含む。
【００１２】
主データ送信部１１２ｍは、制御部１１１からの並列主データを差動補助信号に変換し、８ラインからなる４対の差動補助信号Ｌ１＋Ｌ１−，Ｌ２＋Ｌ２−，Ｌ３＋Ｌ３−，Ｌ４＋Ｌ４−に伝送する。
【００１３】
補助データ送受信部１１２ｓは、２ラインからなる１対の差動補助信号ＡＵＸ＋，ＡＵＸ−をディスプレイ装置１２から受信し、それを、ディスプレイポート通信規定によって並列入力信号に変換し、制御部１１１に入力する。また反対に、補助データ送受信部１１２ｓは、制御部１１１からの並列出力信号を、ディスプレイポート通信規定によって差動補助信号に変換し、２ラインからなる１対の差動補助信号ＡＵＸ＋，ＡＵＸ−をディスプレイ装置１２に伝送する。
【００１４】
前述のような補助データ通信において、一般的な単一モードディスプレイポート・システムでは、前述のように、差動補助信号による補助通信だけが行われる。
【００１５】
しかし、二重モードディスプレイポート・システムでは、ユーザの選択により、差動補助信号による補助通信、またはＩ２Ｃ（inter-integrated circuit）信号による補助通信が行われる。
【００１６】
ホスト装置１１の構成（configuration）端子ＣＮＦ、及びディスプレイ装置１２の構成端子ＣＮＦの電圧レベルが低い状態である場合、差動補助信号による補助通信が行われる。ホスト装置１１の構成端子ＣＮＦ、及びディスプレイ装置１２の構成端子ＣＮＦの電圧レベルが高い状態である場合、Ｉ２Ｃ信号による補助通信が行われる。
【００１７】
ホスト装置１１の構成端子ＣＮＦの電圧レベルが高い状態であることにより、Ｉ２Ｃ信号が選択されている場合、補助データ送受信部１１２ｓは、直列データ信号ＳＤＡをディスプレイ装置１２から受信し、それをディスプレイポート通信規定によって並列入力信号に変換し、制御部１１１に入力する。また反対に、補助データ送受信部１１２ｓは、制御部１１１からの並列出力信号を直列データ信号ＳＤＡに変換し、変換結果の直列データ信号ＳＤＡを、クロック信号ＳＣＬと共に、ディスプレイ装置１２に伝送する。
【００１８】
参考までに、Ｉ２Ｃ信号による補助通信は、ディスプレイポート・インターフェースをＤＶＩ（digital visual interface）またはＨＤＭＩ（high-definition multimedia interface）に転換する場合に必要である。
【００１９】
図１で参照符号ＨＰＤは、ディスプレイ装置１２からの接続信号を示す。ディスプレイ装置１２が動作中である場合、接続信号ＨＰＤが論理「１」状態であるので、ホスト装置１１内の制御部１１１は、ディスプレイ装置１２との接続いかんを判断することができる。
【００２０】
ディスプレイ装置１２内の制御部１２１は、ディスプレイポート通信規定により、記録されているＥＤＩＤ及びＤＰＣＤをホスト装置１１内の制御部１１１に伝送し、ホスト装置１１内の制御部１１１からの主データを受信する。
【００２１】
ディスプレイ装置１２内のディスプレイポート・インターフェース１２２は、主データ受信部１２２ｍ及び補助データ送受信部１２２ｓを含む。
【００２２】
主データ受信部１２２ｍは、８ラインからなる４対の差動補助信号Ｌ１＋Ｌ１−，Ｌ２＋Ｌ２−，Ｌ３＋Ｌ３−，Ｌ４＋Ｌ４−を、ディスプレイポート通信規定によって並列入力信号に変換し、制御部１２１に入力する。
【００２３】
二重モードディスプレイポート・システムにおいて、ディスプレイ装置１２の構成端子ＣＮＦの電圧レベルが低い状態であることにより、差動補助信号が選択されている場合、補助データ送受信部１２２ｓは、制御部１２１からの並列出力信号を、ディスプレイポート通信規定によって差動補助信号に変換し、２ラインからなる１対の差動補助信号ＡＵＸ＋，ＡＵＸ−を、ホスト装置１１に伝送する。また反対に、補助データ送受信部１２２ｓは、２ラインからなる１対の差動補助信号ＡＵＸ＋，ＡＵＸ−を、ホスト装置１１から受信し、それを、ディスプレイポート通信規定によって並列入力信号に変換し、制御部１２１に入力する。
【００２４】
ディスプレイ装置１２の構成端子ＣＮＦの電圧レベルが高い状態であることにより、Ｉ２Ｃ信号が選択されている場合、補助データ送受信部１２２ｓは、制御部１２１からの並列出力信号を、Ｉ２Ｃ信号による直列データ信号ＳＤＡに変換し、変換結果の直列データ信号ＳＤＡを、ホスト装置１１に伝送する。また反対に、補助データ送受信部１２２ｓは、クロック信号ＳＣＬ及び直列データ信号ＳＤＡを、ホスト装置１１から受信し、それを、ディスプレイポート通信規定によって並列入力信号に変換し、制御部１２１に入力する。
【００２５】
以上、図１を参照して説明した一般的な二重モードディスプレイポート・システムによれば、ＥＤＩＤ及びＤＰＣＤが、１対の差動補助信号ＡＵＸ＋，ＡＵＸ−またはＩ２Ｃ信号でもって長距離に伝送されたり、あるいはＤＰＣＤの長距離通信が行われる場合、ノイズ発生及び信号減衰の問題点が生じている。
【００２６】
なお、本発明に係わる先行技術文献としては、特許文献１がある。
【先行技術文献】
【特許文献】
【００２７】
【特許文献１】大韓民国公開特許公報第２００５−００２２２６８号（出願人：日本ビクター株式会社、発明の名称：伝送システム）
【発明の概要】
【発明が解決しようとする課題】
【００２８】
本発明が解決しようとする課題は、ＥＤＩＤ及びＤＰＣＤが差動補助信号またはＩ２Ｃ信号でもって長距離に伝送されたり、あるいはＤＰＣＤの長距離通信が行われたりする場合に生じるノイズ及び信号減衰の問題点を、光通信によって解消することができる二重モード・ディスプレイポート・コネクタを提供するものである。
【課題を解決するための手段】
【００２９】
本発明の一側面による二重モード・ディスプレイポート・コネクタは、ＶＥＳＡ（Video Electronics Standards Association）のディスプレイポート通信規定により、ホスト装置とディスプレイ装置とを相互連結する二重モード・ディスプレイポート・コネクタにおいて、ホスト側補助インターフェース、ディスプレイ側補助インターフェース、及びケーブルを含む。
【００３０】
前記ホスト側補助インターフェースは、前記ホスト装置の補助（auxiliary）信号端子に接続される。前記ディスプレイ側補助インターフェースは、前記ディスプレイ装置の補助信号端子に接続される。前記ケーブルは、前記ホスト側補助インターフェースと、前記ディスプレイ側補助インターフェースとを連結する。
【００３１】
ここで、前記ホスト側補助インターフェースは、双方向変換部、直流均衡用コーデック及びバススイッチを含む。
【００３２】
前記双方向変換部は、一側からの差動補助信号を単一補助信号に変換し、他側からの単一補助信号を差動補助信号に変換する。
【００３３】
前記直流均衡用コーデックは、一側からの単一補助信号に対して、直流均衡用符号化を行い、他側からの符号化結果の単一補助信号を復号化する。
【００３４】
前記バススイッチは、差動補助信号またはＩ２Ｃ信号が印加される共通信号ラインを、差動補助信号用ラインまたはＩ２Ｃ信号用ラインに連結する。
【００３５】
望ましくは、前記ホスト側補助インターフェースにおいて、前記ホスト装置の補助信号端子から前記共通信号ラインが導き出され、前記バススイッチに連結される。
【００３６】
望ましくは、前記ホスト側補助インターフェースは、前記ホスト装置の補助信号端子のうち構成端子の電圧レベルにより、前記バススイッチのスイッチング動作を制御するホスト側制御部をさらに含む。
【００３７】
望ましくは、前記ホスト側補助インターフェースは、第１電光変換部、光電変換部及び第２電光変換部をさらに含む。
【００３８】
ここで、前記ホスト装置の構成端子の電圧レベルにより、前記Ｉ２Ｃ信号が選択されている場合、前記第１電光変換部からのクロック信号は、前記ディスプレイ側補助インターフェースに光信号として伝送され、前記ディスプレイ側補助インターフェースからの直列データ信号は、前記光電変換部に光信号として伝送され、前記第２電光変換部からの直列データ信号は、前記ディスプレイ側補助インターフェースに光信号として伝送される。
【００３９】
望ましくは、前記ホスト装置の構成端子の電圧レベルにより、前記差動補助信号が選択されている場合、前記第１電光変換部からの符号化結果の単一補助信号は、前記ディスプレイ側補助インターフェースに光信号として伝送され、前記ディスプレイ側補助インターフェースからの符号化結果の単一補助信号は、前記光電変換部に光信号として伝送される。
【００４０】
望ましくは、前記双方向変換部は、前記バススイッチから、前記差動補助信号用ラインを介して入力される差動補助信号ＡＵＸ＋，ＡＵＸ−を単一補助信号Ａｕｘｈｍに変換し、変換結果の単一補助信号Ａｕｘｈｍを、前記直流均衡用コーデックに出力し、前記直流均衡用コーデックからの復号化信号Ａｕｘｍｈ）を、差動補助信号ＡＵＸ＋，ＡＵＸ−に変換し、変換された差動補助信号ＡＵＸ＋，ＡＵＸ−を、前記差動補助信号用ラインを介して前記バススイッチに出力する。
【００４１】
望ましくは、前記直流均衡用コーデックは、直流均衡用符号化部及び復号化部を含む。
【００４２】
前記直流均衡用コーデックは、前記双方向変換部からの単一補助信号Ａｕｘｈｍに対して直流均衡用符号化を行い、符号化結果の単一補助信号Ａｕｘｈｍｃを、前記第１電光変換部に出力する。
【００４３】
前記復号化部は、前記光電変換部からの符号化結果の単一補助信号Ａｕｘｍｈｃを復号化し、復号化結果の単一補助信号Ａｕｘｍｈを前記双方向変換部に出力する。
【００４４】
望ましくは、前記ホスト側補助インターフェースを含んだホスト側インターフェースは、ホスト側主インターフェース及びホスト側接続信号インターフェースをさらに含む。
【００４５】
前記ホスト側主インターフェースは、前記ホスト装置の主信号端子に接続される。前記ホスト側接続信号インターフェースは、前記ホスト装置の接続信号ＨＰＤ（hot plug detection）端子に接続される。
【００４６】
望ましくは、前記ディスプレイ側補助インターフェースを含んだディスプレイ側インターフェースは、主インターフェース及びディスプレイ側接続信号インターフェースをさらに含む。
【００４７】
前記ディスプレイ側主インターフェースは、前記ディスプレイ装置の主信号端子に接続される。前記ディスプレイ側接続信号インターフェースは、前記ディスプレイ装置の接続信号ＨＰＤ端子に接続される。
【００４８】
望ましくは、前記ホスト側主インターフェースから、前記ディスプレイ側主インターフェースに伝送される主データが光信号として伝送れ、前記ディスプレイ側接続信号インターフェースから、前記ホスト側接続信号インターフェースに伝送される接続信号ＨＰＤが光信号として伝送される。
【００４９】
望ましくは、前記ホスト側主インターフェースは、複数の減算部及び複数の電光変換部を含む。
【００５０】
前記複数の減算部は、前記ホスト装置の主信号端子からの差動主信号Ｌ１＋ないしＬ４−を、それぞれの単一主信号Ｌ１ないしＬ４に変換する。
【００５１】
前記複数の電光変換部は、前記複数の減算部からのそれぞれの単一主信号Ｌ１ないしＬ４を、それぞれの光信号Ｌ１ｌないしＬ４ｌに変換し、変換されたそれぞれの光信号Ｌ１ｌないしＬ４ｌを、それぞれの光ファイバラインを介して、前記ディスプレイ側主インターフェースに伝送する。
【００５２】
望ましくは、前記ディスプレイ側主インターフェースは、複数の光電変換部及び複数の差動信号発生部を含む。
【００５３】
前記複数の光電変換部は、前記ホスト側主インターフェースから、それぞれの光ファイバラインを介して入力されたそれぞれの光信号Ｌ１ｌないしＬ４ｌを、主データ信号Ｌ１ないしＬ４に変換する。
【００５４】
前記複数の差動信号発生部は、前記複数の光電変換部それぞれからの主データ信号Ｌ１ｌないしＬ４ｌを、差動主−データ信号Ｌ１＋ないしＬ４−に変換する。
【００５５】
本発明の一側面による二重モード・ディスプレイポート・コネクタは、ＶＥＳＡのディスプレイポート通信規定により、ホスト装置とディスプレイ装置とを相互連結する二重モード・ディスプレイポート・コネクタにおいて、ホスト側補助インターフェース、ディスプレイ側補助インターフェース、及びケーブルを含む。
【００５６】
前記ホスト側補助インターフェースは、前記ホスト装置の補助信号端子に接続される。前記ディスプレイ側補助インターフェースは、前記ディスプレイ装置の補助信号端子に接続される。前記ケーブルは、前記ホスト側補助インターフェースと、前記ディスプレイ側補助インターフェースとを連結する。
【００５７】
ここで、前記ディスプレイ側補助インターフェースは、双方向変換部、直流均衡用コーデック及びバススイッチを含む。
【００５８】
前記双方向変換部は、一側からの差動補助信号を単一補助信号に変換し、他側からの単一補助信号を差動補助信号に変換する。
【００５９】
前記直流均衡用コーデックは、一側からの単一補助信号に対して、直流均衡用符号化を行い、他側からの符号化結果の単一補助信号を復号化する。
【００６０】
前記バススイッチは、差動補助信号またはＩ２Ｃ信号が印加される共通信号ラインを、差動補助信号用ラインまたはＩ２Ｃ信号用ラインに連結する。
【００６１】
望ましくは、前記ディスプレイ側補助インターフェースにおいて、前記ディスプレイ装置の補助信号端子から前記共通信号ラインが導き出され、前記バススイッチに連結される。
【００６２】
望ましくは、前記ディスプレイ側補助インターフェースは、前記ホスト装置の補助信号端子のうち構成端子の電圧レベルにより、前記バススイッチのスイッチング動作を制御するディスプレイ側制御部をさらに含む。
【００６３】
望ましくは、前記ディスプレイ側補助インターフェースは、第１光電変換部、電光変換部及び第２光電変換部をさらに含む。
【００６４】
ここで、前記ディスプレイ装置の構成端子の電圧レベルにより、前記Ｉ２Ｃ信号が選択されている場合、前記ホスト側補助インターフェースからのクロック信号は、前記第１光電変換部に光信号として伝送され、前記電光変換部からの直列データ信号は、前記ホスト側補助インターフェースに光信号として伝送され、前記ホスト側補助インターフェースからの直列データ信号は、前記第２光電変換部に光信号として伝送される。
【００６５】
望ましくは、前記ディスプレイ装置の構成端子の電圧レベルにより、前記差動補助信号が選択されている場合、前記ホスト側補助インターフェースからの符号化結果の単一補助信号は、前記第１光電変換部に光信号として伝送され、前記電光変換部からの符号化結果の単一補助信号は、前記ホスト側補助インターフェースに光信号として伝送される。
【００６６】
望ましくは、前記ディスプレイ側補助インターフェースの双方向変換部は、前記ディスプレイ側補助インターフェースのバススイッチから、前記差動補助信号用ラインを介して入力される差動補助信号ＡＵＸ＋，ＡＵＸ−を、単一補助信号Ａｕｘｍｈに変換し、変換結果の単一補助信号Ａｕｘｍｈを前記直流均衡用コーデックに出力し、前記直流均衡用コーデックからの復号化信号Ａｕｘｈｍを、差動補助信号ＡＵＸ＋，ＡＵＸ−に変換し、変換結果の差動補助信号ＡＵＸ＋，ＡＵＸ−を、前記差動補助信号用ラインを介して前記バススイッチに出力する。
【００６７】
望ましくは、前記直流均衡用コーデックは、直流均衡用符号化部及び復号化部を含む。
【００６８】
前記直流均衡用符号化部は、前記双方向変換部からの単一補助信号Ａｕｘｍｈに対して直流均衡用符号化を行い、符号化結果の単一補助信号Ａｕｘｍｈｃを前記電光変換部に出力する。
【００６９】
前記復号化部は、前記第１光電変換部からの符号化結果の単一補助信号Ａｕｘｈｍｃを復号化し、復号化結果の単一補助信号Ａｕｘｈｍを前記双方向変換部に出力する。
【発明の効果】
【００７０】
本発明の二重モード・ディスプレイポート・コネクタによれば、双方向の差動補助信号が光信号として送受信されないという難題が、ホスト側補助インターフェースまたはディスプレイ側補助インターフェースの双方向変換部によって解消される。
【００７１】
また、ＥＤＩＤ、ＤＰＣＤ、及びＤＰＣＤの「リンクトレーニング」のための通信データが直流不均衡（ＤＣ unbalance）をなすが、それによって、光信号として送受信されないという難題が、ホスト側補助インターフェースまたはディスプレイ側補助インターフェースの直流均衡用コーデックによって解消される。
【００７２】
さらに、二重モードによって差動補助信号またはＩ２Ｃ信号が光信号として送受信されないという難題が、ホスト側補助インターフェースまたはディスプレイ側補助インターフェースのバススイッチによって解消される。
【００７３】
従って、本発明の前記二重モード・ディスプレイポート・コネクタによれば、ホスト側補助インターフェースとディスプレイ側補助インターフェースとの光通信が実現される。
【００７４】
それにより、ＥＤＩＤ及びＤＰＣＤが、差動補助信号またはＩ２Ｃ信号として長距離に伝送されたり、あるいはＤＰＣＤの長距離通信が行われたりする場合に生じるノイズ及び信号減衰の問題点が解消される。
【図面の簡単な説明】
【００７５】
【図１】一般的なディスプレイポート・システムを示しているブロック図である。
【図２】本発明の一実施形態による二重モード・ディスプレイポート・コネクタが使用された二重モードディスプレイポート・システムを示すブロック図である。
【図３】図２の二重モード・ディスプレイポート・コネクタのホスト側補助インターフェースの内部構成を示すブロック図である。
【図４】図３の双方向変換部の内部構成を示すブロック図である。
【図５】図２の二重モード・ディスプレイポート・コネクタのディスプレイ側補助インターフェースの内部構成を示すブロック図である。
【図６】図５の双方向変換部の内部構成を示すブロック図である。
【図７】図６において、差動補助信号と単一補助信号との関係を示す波形図である。
【図８】本発明の他の実施形態による二重モード・ディスプレイポート・コネクタが使用された二重モードディスプレイポート・システムを示すブロック図である。
【図９】図８の二重モード・ディスプレイポート・コネクタのホスト側主インターフェースの内部構成を示すブロック図である。
【図１０】図８の二重モード・ディスプレイポート・コネクタのディスプレイ側主インターフェースの内部構成を示すブロック図である。
【発明を実施するための形態】
【００７６】
以下の説明及び添付された図面は、本発明による動作を理解するためのものであり、本技術分野の当業者が容易に具現することができる部分は省略される。
【００７７】
また、本明細書及び図面は、本発明を制限するための目的に提供されたものではなく、本発明の範囲は、特許請求の範囲によって決められるものである。本明細書で使用された用語は、本発明を最も適切に表現するように本、発明の技術的思想に符合する意味及び概念で解釈されなければならない。
【００７８】
以下、添付された図面を参照し、本発明の実施形態について説明する。
【００７９】
図２は、本発明の一実施形態による二重モード・ディスプレイポート・コネクタ（dual mode display-port connector）２１ないし２３が使用された二重モードディスプレイポート・システムを示している。図２において、図１と同一の参照符号は、同一機能の対象を指す。すなわち、二重モードディスプレイポート・システムについては、図１を参照して説明した通りであるので、本発明の一実施形態による二重モード・ディスプレイポート・コネクタ２１ないし２３、及びそれと係わる事項についてのみ説明する。
【００８０】
図２を参照すれば、本発明の一実施形態による二重モード・ディスプレイポート・コネクタ２１ないし２３は、ＶＥＳＡ（Video Electronics Standards Association）のディスプレイポート通信規定により、ホスト装置１１とディスプレイ装置１２とを相互連結するものであり、ホスト側補助インターフェース２１ａ、ディスプレイ側補助インターフェース２２ａ及びケーブル２３を含む。
【００８１】
ホスト側補助インターフェース２１ａは、ホスト側インターフェース２１に含まれ、ディスプレイ側補助インターフェース２２ａは、ディスプレイ側インターフェース２２に含まれる。
【００８２】
ホスト側補助インターフェース２１ａは、ホスト装置１１の補助（auxiliary）信号端子に接続される。ディスプレイ側補助インターフェース２２ａは、ディスプレイ装置１２の補助信号端子に接続される。
【００８３】
ホスト側補助インターフェース２１ａと、ディスプレイ側補助インターフェース２２ａとの通信モードは、ホスト装置１１の構成（configuration）端子ＣＮＦ、及びディスプレイ装置１２の構成端子ＣＮＦの電圧レベルによって決定される。
【００８４】
ホスト装置１１の構成端子ＣＮＦ、及びディスプレイ装置１２の構成端子ＣＮＦの電圧レベルが低い状態である場合、差動補助信号による補助通信が行われる。ホスト装置１１の構成端子ＣＮＦ、及びディスプレイ装置１２の構成端子ＣＮＦの電圧レベルが高い状態である場合、Ｉ２Ｃ（inter-integrated circuit）信号による補助通信が行われる。
【００８５】
ケーブル２３において、ホスト側補助インターフェース２１ａからディスプレイ側補助インターフェース２２ａに伝送される単一補助信号ＡｕｘｈｍｌまたはＩ２Ｃ信号ＳＣＬ，ＳＤＡＲは、本実施形態によって、光信号として光ファイバラインを介して伝送される。ディスプレイ側補助インターフェース２２ａからホスト側補助インターフェース２１ａに伝送される単一補助信号ＡｕｘｍｈｌまたはＩ２Ｃ信号ＳＤＡＬは、本実施形態によって、光信号として光ファイバラインを介して伝送される。
【００８６】
Ｉ２Ｃ信号による補助通信が行われる場合、ホスト側補助インターフェース２１ａからディスプレイ側補助インターフェース２２ａに伝送されるＩ２Ｃ信号ＳＣＬ，ＳＤＡＲは、クロック信号ＳＣＬ及び直列データ信号ＳＤＡＲである。ディスプレイ側補助インターフェース２２ａからホスト側補助インターフェース２１ａに伝送されるＩ２Ｃ信号ＳＤＡＬは、直列データ信号ＳＤＡＬである。
【００８７】
本実施形態の場合、差動主データ信号Ｌ１＋ないしＬ４−及び接続信号ＨＰＤは、従来の技術のように電気伝送ラインを介して伝送される。
【００８８】
ホスト側補助インターフェース２１ａ及びディスプレイ側補助インターフェース２２ａそれぞれについては、図３ないし図７（Ａ）及び図７（Ｂ）を参照して詳細に説明する。
【００８９】
図３は、図２の二重モード・ディスプレイポート・コネクタ２１ないし２３のホスト側補助インターフェース２１ａの内部構成を示している。図３において、図２と同一の参照符号は、同一機能の対象を示す。
【００９０】
図２及び図３を参照すれば、ホスト側補助インターフェース２１ａは、双方向変換部３１、直流均衡用コーデック３２、第１電光変換部３３、光電変換部３４、第２電光変換部３５、バススイッチ３６及びホスト側制御部３７を含む。
【００９１】
バススイッチ３６には、ホスト装置１１の補助データ送受信部１１２ｓの補助信号端子から、共通信号ラインが導き出されて連結される。
【００９２】
ホスト側制御部３７は、ホスト装置１１の補助データ送受信部１１２ｓの補助信号端子のうち構成端子ＣＮＦの電圧レベルにより、バススイッチ３６のスイッチング動作を制御する。
【００９３】
ホスト側制御部３７によって動作するバススイッチ３６は、差動補助信号ＡＵＸ＋，ＡＵＸ−またはＩ２Ｃ信号ＳＣＬ，ＳＤＡが印加される共通信号ラインを、差動補助信号用ラインまたはＩ２Ｃ信号用ラインに連結する。
【００９４】
従って、二重モードであることにより、差動補助信号ＡＵＸ＋，ＡＵＸ−またはＩ２Ｃ信号ＳＣＬ，ＳＤＡが、光信号として送受信されないという難題が、バススイッチ３６によって解消される。
【００９５】
ホスト側補助インターフェース２１ａでの双方向変換部３１は、バススイッチ３６から、差動補助信号用ラインを介して入力される差動補助信号ＡＵＸ＋，ＡＵＸ−を、単一補助信号Ａｕｘｈｍに変換し、変換結果の単一補助信号Ａｕｘｈｍを、直流均衡用コーデック３２に出力する。
【００９６】
また、双方向変換部３１は、直流均衡用コーデック３２からの復号化信号Ａｕｘｍｈを、差動補助信号ＡＵＸ＋，ＡＵＸ−に変換し、変換結果の差動補助信号ＡＵＸ＋，ＡＵＸ−を、差動補助信号用ラインを介して、バススイッチ３６に出力する。
【００９７】
従って、双方向の差動補助信号ＡＵＸ＋，ＡＵＸ−が光信号として送受信されないという難題が、双方向変換部３１によって解消される。
【００９８】
ホスト側補助インターフェース２１ａでの直流均衡用コーデック３２は、直流均衡用符号化部３２ｃ及び復号化部３２ｄを含む。
【００９９】
直流均衡用符号化部３２ｃは、双方向変換部３１からの単一補助信号Ａｕｘｈｍに対して直流均衡用符号化を行い、符号化結果の単一補助信号Ａｕｘｈｍｃを、第１電光変換部３３に出力する。
【０１００】
復号化部３２ｄは、光電変換部３４からの符号化結果の単一補助信号Ａｕｘｍｈｃを復号化し、復号化結果の単一補助信号Ａｕｘｍｈを、双方向変換部３１に出力する。
【０１０１】
本実施形態の場合、直流均衡用符号化のために、８ビットの補助データが１０ビットに符号化され、１０ビットに符号化されたデータが８ビットの補助データに復号化される。
【０１０２】
従って、ＥＤＩＤ（extended display identification data）、ＤＰＣＤ（display-port configuration data）、及びＤＰＣＤの「リンクトレーニング（link training）」のための通信データが直流不均衡（ＤＣ（direct current） unbalance）をなすが、それによって、光信号として送受信されないという難題が、直流均衡用コーデック３２によって解消される。
【０１０３】
ホスト側補助インターフェース２１ａでの第１電光変換部３３は、直流均衡用符号化部３２ｃからの符号化結果の単一補助信号Ａｕｘｈｍｃ、またはバススイッチ３６からのＩ２Ｃのクロック信号ＳＣＬを、光信号ＡｕｘｈｍｌまたはＳＣＬに変換し、変換結果の光信号ＡｕｘｈｍｌまたはＳＣＬを、ケーブル２３内の第１光ファイバラインを介して、ディスプレイ側補助インターフェース２２ａに伝送する。
【０１０４】
ホスト側補助インターフェース２１ａでの光電変換部３４は、ディスプレイ側補助インターフェース１２２ｓから、ケーブル２３内の第２光ファイバラインを介して入力される光信号ＡｕｘｍｈｌまたはＳＤＡＬを、単一補助信号ＡｕｘｍｈｃまたはＩ２Ｃのクロック信号ＳＣＬに変換する。変換結果の単一補助信号Ａｕｘｍｈｃは、復号化部３２ｄに入力され、Ｉ２Ｃのクロック信号ＳＣＬは、バススイッチ３６に入力される。
【０１０５】
ホスト側補助インターフェース２１ａでの第２電光変換部３５は、バススイッチ３６からのＩ２Ｃの直列データ信号ＳＤＡを光信号ＳＤＡＲに変換し、変換結果の光信号ＳＤＡＲを、ケーブル２３内の第３光ファイバラインを介して、ディスプレイ側補助インターフェース２２ａに伝送する。
【０１０６】
図４は、図３の双方向変換部３１の内部構成を示している。
【０１０７】
図２ないし図４を参照すれば、ホスト側補助インターフェース２１ａでの双方向変換部３１は、減算部４１及び差動信号発生部４２を含む。
【０１０８】
減算部４１は、バススイッチ３６の差動補助信号用ラインからの差動補助＋信号ＡＵＸ＋から差動補助−信号ＡＵＸ−が減算された結果である単一補助信号Ａｕｘｈｍを発する。その場合、双方向制御部４３が高論理のイネーブル（enable）制御信号を発するので、減算部４１のイネーブル端子ＥＮに、高論理のイネーブル制御信号が入力され、減算部４１がイネーブルされ、インバータ４４から、低論理のイネーブル制御信号が、差動信号発生部４２のイネーブル端子ＥＮに入力され、差動信号発生部４２がディセーブル（disable）される。
【０１０９】
差動信号発生部４２は、復号化部３２ｄからの単一補助信号Ａｕｘｍｈを、差動補助信号ＡＵＸ＋，ＡＵＸ−に変換し、変換結果の差動補助信号ＡＵＸ＋，ＡＵＸ−を、差動補助信号用ラインを介して、バススイッチ３６に出力する。その場合、双方向制御部４３が低論理のイネーブル制御信号を発するので、減算部４１のイネーブル端子ＥＮに、低論理のイネーブル制御信号が入力され、減算部４１がディセーブルされ、インバータ４４から高論理のイネーブル制御信号が、差動信号発生部４２のイネーブル端子ＥＮに入力され、差動信号発生部４２がイネーブルされる。
【０１１０】
図５は、図２の二重モード・ディスプレイポート・コネクタ２１ないし２３のディスプレイ側補助インターフェース２２ａの内部構成を示している。図２及び図５を参照すれば、ディスプレイ側補助インターフェース２２ａは、双方向変換部５１、直流均衡用コーデック５２、電光変換部５３、第１光電変換部５４、第２光電変換部５５、バススイッチ５６及びディスプレイ側制御部５７を含む。
【０１１１】
バススイッチ５６には、ディスプレイ装置１２の補助データ送受信部１２２ｓの補助信号端子から、共通信号ラインが導き出されて連結される。
【０１１２】
ディスプレイ側制御部５７は、ディスプレイ装置１２の補助データ送受信部１２２ｓの補助信号端子のうち構成端子ＣＮＦの電圧レベルにより、バススイッチ５６のスイッチング動作を制御する。
【０１１３】
ディスプレイ側制御部５７によって動作するバススイッチ５６は、差動補助信号ＡＵＸ＋，ＡＵＸ−またはＩ２Ｃ信号ＳＣＬ，ＳＤＡが印加される共通信号ラインを、差動補助信号用ラインまたはＩ２Ｃ信号用ラインに連結する。
【０１１４】
従って、二重モードによって差動補助信号ＡＵＸ＋，ＡＵＸ−またはＩ２Ｃ信号ＳＣＬ，ＳＤＡが光信号として送受信されないという難題が、バススイッチ５６によって解消される。
【０１１５】
ディスプレイ側補助インターフェース２２ａでの双方向変換部５１は、バススイッチ５６から、差動補助信号用ラインを介して入力される差動補助信号ＡＵＸ＋，ＡＵＸ−を、単一補助信号Ａｕｘｍｈに変換し、変換結果の単一補助信号Ａｕｘｍｈを、直流均衡用コーデック５２に出力する。
【０１１６】
また、双方向変換部５１は、直流均衡用コーデック５２からの復号化信号Ａｕｘｈｍを、差動補助信号ＡＵＸ＋，ＡＵＸ−に変換し、変換結果の差動補助信号ＡＵＸ＋，ＡＵＸ−を、差動補助信号用ラインを介してバススイッチ５６に出力する。
【０１１７】
従って、双方向の差動補助信号ＡＵＸ＋，ＡＵＸ−が光信号として送受信されないという難題が、双方向変換部５１によって解消される。
【０１１８】
ディスプレイ側補助インターフェース２２ａでの直流均衡用コーデック５２は、直流均衡用符号化部５２ｃ及び復号化部５２ｄを含む。
【０１１９】
直流均衡用符号化部５２ｃは、双方向変換部５１からの単一補助信号Ａｕｘｍｈに対して直流均衡用符号化を行い、符号化結果の単一補助信号Ａｕｘｍｈｃを電光変換部５３に出力する。
【０１２０】
復号化部５２ｄは、第１光電変換部５４からの符号化結果の単一補助信号Ａｕｘｈｍｃを復号化し、復号化結果の単一補助信号Ａｕｘｈｍを双方向変換部５１に出力する。
【０１２１】
前述のように、本実施形態の場合、直流均衡用符号化のために８ビットの補助データが１０ビットに符号化され、１０ビットに符号化されたデータが８ビットの補助データに復号化される。
【０１２２】
従って、ＥＤＩＤ、ＤＰＣＤ、及びＤＰＣＤの「リンクトレーニング」のための通信データが直流不均衡をなすが、それによって光信号として送受信されないという難題が、直流均衡用コーデック５２によって解消される。
【０１２３】
ディスプレイ側補助インターフェース２２ａでの電光変換部５３は、直流均衡用符号化部５２ｃからの符号化結果の単一補助信号Ａｕｘｍｈｃ、またはバススイッチ５６からのＩ２Ｃの直列データ信号ＳＤＡを、光信号ＡｕｘｍｈｌまたはＳＤＡＬに変換する。変換結果の光信号ＡｕｘｍｈｌまたはＳＤＡＬは、ケーブル２３内の第２光ファイバラインを介して、ホスト側補助インターフェース２１ａに伝送される。
【０１２４】
ディスプレイ側補助インターフェース２２ａでの第１光電変換部５４は、ホスト側補助インターフェース２１ａから、ケーブル２３内の第１光ファイバラインを介して入力される光信号ＡｕｘｈｍｌまたはＳＣＬを、単一補助信号ＡｕｘｈｍｃまたはＩ２Ｃのクロック信号ＳＣＬに変換する。変換結果の単一補助信号Ａｕｘｈｍｃは、復号化部５２ｄに入力され、変換結果のＩ２Ｃのクロック信号ＳＣＬは、バススイッチ５６に入力される。
【０１２５】
ディスプレイ側補助インターフェース２２ａでの第２光電変換部５５は、ホスト側補助インターフェース２１ａから、ケーブル２３内の第３光ファイバラインを介して入力される光信号ＳＤＡＲを、Ｉ２Ｃの直列データ信号ＳＤＡに変換する。変換結果の直列データ信号ＳＤＡは、バススイッチ５６に入力される。
【０１２６】
図６は、図５の双方向変換部５１の内部構成を示している。
【０１２７】
図２、図５及び図６を参照すれば、ディスプレイ側補助インターフェース２２ａでの双方向変換部５１は、減算部６１及び差動信号発生部６２を含む。
【０１２８】
減算部６１は、バススイッチ５６から差動補助信号用ラインを介して入力される差動補助＋信号ＡＵＸ＋から、差動補助−信号ＡＵＸ−が減算された結果である単一補助信号Ａｕｘｍｈを発する。その場合、双方向制御部６３が高論理のイネーブル制御信号を発するので、減算部６１のイネーブル端子ＥＮに、高論理のイネーブル制御信号が入力され、減算部６１がイネーブルされ、インバータ６４から、低論理のイネーブル制御信号が差動信号発生部６２のイネーブル端子ＥＮに入力され、差動信号発生部６２がディセーブルされる。
【０１２９】
差動信号発生部６２は、復号化部５２ｄからの単一補助信号Ａｕｘｈｍを、差動補助信号ＡＵＸ＋，ＡＵＸ−に変換する。変換結果の差動補助信号ＡＵＸ＋，ＡＵＸ−は、差動補助信号用ラインを介して、バススイッチ５６に入力される。その場合、双方向制御部６３が、低論理のイネーブル制御信号を発するので、減算部６１のイネーブル端子ＥＮに、低論理のイネーブル制御信号が入力され、減算部６１がディセーブルされ、インバータ６４から、高論理のイネーブル制御信号が差動信号発生部６２のイネーブル端子ＥＮに入力され、差動信号発生部６２がイネーブルされる。
【０１３０】
図７（Ａ）及び図７（Ｂ）は、図６における、差動補助信号ＡＵＸ＋，ＡＵＸ−と、単一補助信号ＡＵＸｍｈ、ＡＵＸｈｍとの関係を示している。図７（Ａ）は、差動補助信号ＡＵＸ＋，ＡＵＸ−の波形を、図７（Ｂ）は、単一補助信号ＡＵＸｍｈ、ＡＵＸｈｍの波形を示している。
【０１３１】
図６、並びに図７（Ａ）及び図７（Ｂ）を参照すれば、補助＋信号端子と補助信号−端子とで出入力される差動補助信号ＡＵＸ＋，ＡＵＸ−は、中間正極性電位ＶＣＭを基準にして、低い正極性電位ＶＤ−または正極性電位ＶＤ＋を有するが、互いに反転される。すなわち、差動補助信号ＡＵＸ＋，ＡＵＸ−は、互いに一定電位差ＶＤＩＦＦを有する。
【０１３２】
単一補助信号ＡＵＸｍｈ、ＡＵＸｈｍの場合、差動補助信号ＡＵＸ＋，ＡＵＸ−の中間正極性電位ＶＣＭが接地電位である０Ｖ（ボルト）に、差動補助信号ＡＵＸ＋，ＡＵＸ−の低い正極性電位ＶＤ−が負極性電位に、差動補助信号ＡＵＸ＋，ＡＵＸ−の高い正極性電位ＶＤ＋が正極性電位にそれぞれ対応する。
【０１３３】
そのように対応する状態で、差動補助信号ＡＵＸ＋，ＡＵＸ−の補助信号ＡＵＸ＋から補助信号ＡＵＸ−を減算すれば、単一補助信号ＡＵＸｍhが得られる。従って、単一補助信号ＡＵＸｍｈ、ＡＵＸｈｍのパルス高２ＶＤＩＦＦは、差動補助信号ＡＵＸ＋，ＡＵＸ−間の電位差ＶＤＩＦＦの２倍である。
【０１３４】
例えば、ｔ１からｔ２までの間で、論理０の信号が得られ、ｔ２からｔ３までの間で、論理１の信号が得られる。
【０１３５】
差動信号発生部６２は、前記過程を逆に遂行するということは言うまでもない。
【０１３６】
図８は、本発明の他の実施形態による二重モード・ディスプレイポート・コネクタ８１ないし８３が使用された二重モードディスプレイポート・システムを示している。図８において、図２と同一の参照符号は、同一機能の対象を示す。
【０１３７】
従って、以下では、図２の実施形態に係わる追加的差異についてのみ説明する。
【０１３８】
図８を参照すれば、前記ホスト側補助インターフェース２１ａを含んだホスト側インターフェース８１が、ホスト側主インターフェース８１ｂ及びホスト側接続信号インターフェース８１ｃをさらに含む。
【０１３９】
ホスト側主インターフェース８１ｂは、ホスト装置１１の主信号Ｌ１＋ないしＬ４−端子に接続される。
【０１４０】
ホスト側接続信号インターフェース８１ｃは、ホスト装置１１の接続信号ＨＰＤ端子に接続される。
【０１４１】
それと対応し、前記ディスプレイ側補助インターフェース２２ａを含んだディスプレイ側インターフェース８２は、ディスプレイ側主インターフェース８２ｂ及びディスプレイ側接続信号インターフェース８２ｃをさらに含む。
【０１４２】
ディスプレイ側主インターフェース８２ｂは、ディスプレイ装置１２の主信号Ｌ１＋ないしＬ４−端子に接続される。
【０１４３】
ディスプレイ側接続信号インターフェース８２ｃは、ディスプレイ装置１２の接続信号ＨＰＤ端子に接続される。
【０１４４】
ここで、ホスト側主インターフェース８１ｂからディスプレイ側主インターフェース８２ｂに伝送される主データＬ１＋ないしＬ４−が、光信号として伝送される。また、ディスプレイ側接続信号インターフェース８２ｃからホスト側接続信号インターフェース８１ｃに伝送される接続信号ＨＰＤが、光信号として伝送される。
【０１４５】
ここで、接続信号ＨＰＤは、差動信号ではない単一信号である。
【０１４６】
従って、ディスプレイ側接続信号インターフェース８２ｃは、ディスプレイ装置１２の接続信号端子からの接続信号ＨＰＤを光信号に変換し、変換結果の光信号を、光ファイバラインを介して、ホスト側接続信号インターフェース８１ｃに伝送する電光変換部である。
【０１４７】
また、ホスト側接続信号インターフェース８１ｃは、ディスプレイ側接続信号インターフェース８２ｃから、光ファイバラインを介して入力される接続信号ＨＰＤを、電気信号に変換する光電変換部である。
【０１４８】
図９は、図８の二重モード・ディスプレイポート・コネクタ８１ないし８３のホスト側主インターフェース８１ｂの内部構成を示している。
【０１４９】
図８及び図９を参照すれば、ホスト側主インターフェース８１ｂは、４個の減算部９０１ないし９０４及び４個の電光変換部９１１ないし９１４を含む。
【０１５０】
４個の減算部９０１ないし９０４は、ホスト装置１１の主信号端子からの差動主信号Ｌ１＋ないしＬ４−を、それぞれの単一主信号Ｌ１ないしＬ４に変換する。
【０１５１】
すなわち、減算部９０１ないし９０４それぞれは、ホスト装置１１の主＋信号端子からの差動主＋信号Ｌ１＋，Ｌ２＋，Ｌ３＋，Ｌ４＋から、主−信号端子からの主−信号Ｌ１−，Ｌ２−，Ｌ３−，Ｌ４−が減算された結果である単一主信号Ｌ１ないしＬ４を発する。
【０１５２】
４個の電光変換部９１１ないし９１４は、減算部９０１ないし９０４からのそれぞれの単一主信号Ｌ１ないしＬ４を、それぞれの光信号Ｌ１ｌないしＬ４ｌに変換し、変換されたそれぞれの光信号Ｌ１ｌないしＬ４ｌを、それぞれの光ファイバラインを介してディスプレイ側主インターフェース８２ｂに伝送する。
【０１５３】
図１０は、図８の二重モード・ディスプレイポート・コネクタ８１ないし８３のディスプレイ側主インターフェース８２ｂの内部構成を示している。
【０１５４】
図８及び図１０を参照すれば、ディスプレイ側主インターフェース８２ｂは、４個の光電変換部１００１ないし１００４、及び４個の差動信号発生部１０１１ないし１０１４を含む。
【０１５５】
第１光電変換部１００１ないし第４光電変換部１００４は、ホスト側主インターフェース８１ｂから、それぞれの光ファイバラインを介して入力されたそれぞれの光信号Ｌ１ｌないしＬ４ｌを、主データ信号Ｌ１ないしＬ４に変換する。
【０１５６】
第１差動信号発生部１０１１ないし第４差動信号発生部１０１４は、第１光電変換部１００１ないし第４光電変換部１００４それぞれからの主データ信号Ｌ１ないしＬ４を差動主データ信号Ｌ１＋ないしＬ４−に変換する。
【０１５７】
前述のように、本実施形態の二重モード・ディスプレイポート・コネクタによれば、双方向の差動補助信号が、光信号として送受信されないという難題が、ホスト側補助インターフェースまたはディスプレイ側補助インターフェースの双方向変換部によって解消される。
【０１５８】
また、ＥＤＩＤ、ＤＰＣＤ、及びＤＰＣＤの「リンクトレーニング」のための通信データが直流不均衡をなすが、それによって光信号として送受信されないという難題が、ホスト側補助インターフェースまたはディスプレイ側補助インターフェースの直流均衡用コーデックによって解消される。
【０１５９】
さらに、二重モードによって差動補助信号またはＩ２Ｃ信号が光信号として送受信されないという難題が、ホスト側補助インターフェースまたはディスプレイ側補助インターフェースのバススイッチによって解消される。
【０１６０】
従って、本実施形態の二重モード・ディスプレイポート・コネクタによれば、ホスト側補助インターフェースと、ディスプレイ側補助インターフェースとの間で光通信が実現される。
【０１６１】
それにより、ＥＤＩＤ及びＤＰＣＤが、差動補助信号またはＩ２Ｃ信号として長距離に伝送さたり、あるいはＤＰＣＤの長距離通信が行われたりする場合に生じるノイズ及び信号減衰の問題点が解消される。
【０１６２】
以上、本発明について望ましい実施形態を中心に説明した。本発明が属する技術分野で当業者であるならば、本発明の本質的な特性から外れない範囲で変形された形態に本発明を具現することができるということを理解するであろう。従って、以上で開示された実施形態は、限定的な観点ではなく、説明的な観点から考慮されなければならない。本発明の範囲は、前述の説明ではなく、特許請求の範囲に示されており、特許請求の範囲によって請求された発明、及び請求された発明と均等な発明は、本発明に含まれたものであると解釈されなければならない。
【産業上の利用可能性】
【０１６３】
本発明の二重モード・ディスプレイポート・コネクタは、差動信号及びＩ２Ｃ信号を選択的に使用して、長距離通信を行うあらゆる場合に利用される。
【符号の説明】
【０１６４】
１１    ホスト装置
１１１，１２１    制御部
１１２，１２２    ディスプレイポート・インターフェース
１１２ｍ    主データ伝送部
１１２ｓ    補助データ送受信部
１２    ディスプレイ装置
１２２ｍ    主データ受信部
１２２ｓ    補助データ送受信部
２１，８１    ホスト側インターフェース
２２，８２    ディスプレイ側インターフェース
２３，８３    ケーブル
２１ないし２３，８１ないし８３    二重モード・ディスプレイポート・コネクタ
２１ａ    ホスト側補助インターフェース
２２ａ    ディスプレイ側補助インターフェース
３１，５１    双方向変換部
３２，５２    直流均衡用コーデック
３２ｃ，５２ｃ    直流均衡用符号化部
３２ｄ，５２ｄ    復号化部
３３，９１１    第１電光変換部
３４    光電変換部
３５，９１２    第２電光変換部
３６，５６    バススイッチ
３７    ホスト側制御部
４１，６１，９０１，９０２，９０３，９０４    減算部
４２，６２    差動信号発生部
４３，６３    双方向制御部
５３    電光変換部
５４，１００１    第１光電変換部
５５，１００２    第２光電変換部
５７    ディスプレイ側制御部
８１ｂ    ホスト側主インターフェース
８１ｃ    ホスト側接続信号インターフェース
８２ｂ    ディスプレイ側主インターフェース
８２ｃ    ディスプレイ側接続信号インターフェース
９１３    第３電光変換部
９１４    第４電光変換部
１００３    第３光電変換部
１００４    第４光電変換部
１０１１    第１差動信号発生部
１０１２    第２差動信号発生部
１０１３    第３差動信号発生部
１０１４    第４差動信号発生部
【図１】
2015015710.tif 000003
【図２】
2015015710.tif 000004
【図３】
2015015710.tif 000005
【図４】
2015015710.tif 000006
【図５】
2015015710.tif 000007
【図６】
2015015710.tif 000008
【図７】
2015015710.tif 000009
【図８】
2015015710.tif 000010
【図９】
2015015710.tif 000011
【図１０】
2015015710.tif 000012